(57)【要約】  【課題】表面の耐久性が高く優れた外観を有する音響制御盤を提供する。  【解決手段】操作パネル２は、パネル本体２０の表側の面に樹脂製シート３が固着されており、パネル本体２０には、ねじ部材６の位置に対応して透孔付き凹部２１が設けられ、透孔付き凹部２１は、凹入部２１１がねじ部材６のヘッド部６１を受け入れ得る径を有し、透孔２１２がねじ部材６の軸部６２を通すことができ且つヘッド部より小さい径を有しており、樹脂製シート３０には、ねじ部材のヘッド部１１を回転操作するための小孔３１が設けられ、ヘッド部６１が凹入部２１１に受け入れられるようにして、制御部本体１に設けた孔にねじ部材の軸部６２が透孔２１２を経て通されることにより、操作パネル２に制御部本体１が結合されている音響制御盤。【選択図】図３
2010226408.tif 000002
【特許請求の範囲】
【請求項１】
複数の音響制御部品を収納した制御部本体が操作パネルの裏面側に結合され、該操作パネルの表側に音響制御部品の操作子又は表示部が配置された音響制御盤であって、
前記操作パネルは、パネル本体の表側の面に樹脂製シートが固着され、
前記パネル本体には、前記制御部本体に結合するためのねじ部材の位置に対応して透孔付き凹部が設けられ、
該透孔付き凹部は、凹入した先端部に透孔が形成され、凹入部が前記ねじ部材のヘッド部を受け入れ得る径を有し、前記透孔がねじ部材の軸部を通すことができ且つヘッド部より小さい径を有しており、
前記樹脂製シートには、前記透孔付き凹部に対応した位置に前記ねじ部材のヘッド部を回転操作するための小孔が設けられ、
前記ねじ部材のヘッド部が前記透孔付き凹部の凹入部に受け入れられるようにして、前記制御部本体に設けた孔に前記ねじ部材の軸部が前記透孔を経て通されることにより、前記操作パネルに前記制御部本体が結合されていることを特徴とする音響制御盤。
【請求項２】
前記パネル本体は、音響制御部品の操作子又は表示部が配置された面板と、前記ねじ部材に対応した位置で前記面板に固着された取付け用補助板とを備えており、
該取付け用補助板は、前記面板の裏面から内側へ突設した突設部と、該突設部の両端から延び前記面板の裏面に固着された接合部とを備え、
前記面板には、前記突設部に対応した位置に貫通孔が形成され、該貫通孔と前記取付け用補助板の突設部とにより前記透孔付き凹部の凹入部が形成され、前記突設部に前記透孔付き凹部の透孔が設けられていることを特徴とする請求項１に記載の音響制御盤。
【請求項３】
前記透孔付き凹部の凹入部によるねじ部材のヘッド部受け入れ深さと、前記樹脂製シートの厚さとの和が、前記ねじ部材のヘッド部の厚さより大きいことを特徴とする請求項１又は２に記載の音響制御盤。
【請求項４】
前記ねじ部材のヘッド部が回転用器具の先端部に係合する切欠き部を端面に備えており、前記樹脂製シートの小孔が、該小孔内で前記回転用器具の先端部を回転し得るように、前記切欠き部に対応した大きさとされていることを特徴とする請求項１から３のいずれかに記載の音響制御盤。
【請求項５】
前記操作パネルが、前記面板に沿う方向に延びる回動軸により、該回動軸回りの回動で前記制御部本体に対して開閉可能に支持されており、
少なくとも一つの前記透孔付き凹部が前記面板における縁部付近に配置され、
前記操作パネルは、該操作パネルの回動時に前記制御部本体の側壁に沿って移動して回動を案内するように前記面板の縁部から曲折して延びた案内板を備えており、
該案内板は、前記パネル本体に重ねられる重合部と一体に形成され、前記面板の縁部の位置において該重合部から前記制御部本体の側壁に沿う方向へ延びており、
前記透孔付き凹部は、前記面板と前記重合部との重なり部分に設けられていることを特徴とする請求項１から４のいずれかに記載の音響制御盤。
【発明の詳細な説明】
【技術分野】
【０００１】
本発明は、電子楽器や音響設備のパラメータ設定を行なうための操作子又は表示部が配置された音響制御盤に関する。
【背景技術】
【０００２】
音響制御盤としては、フェーダ等のスライド操作装置を複数備えたミキサが多用されている。フェーダは、箱状の本体の上部に設けた摘み部等の操作子をスライドすることにより、スライド位置に応じて音量、音質、エフェクト等の制御パラメータの設定を行なうためのものであり、ミキサの操作パネルの裏面側に並列状態で取り付けられている。また、音響制御盤は、フェーダの他、制御状態を表示するためのディスプレーや、種々のスイッチ等の音響制御部品が制御部本体に格納され、操作パネルの表側のパネル面にその操作子や表示部が配置される（例えば、特許文献１参照）。そして、従来の音響制御盤は、操作パネルの表面に塗装を施すことにより、パネル本体の保護や装飾を行なっていた。
【先行技術文献】
【特許文献】
【０００３】
【特許文献１】特開２００４−９３９４２号公報
【発明の概要】
【発明が解決しようとする課題】
【０００４】
しかしながら、操作パネル表面の塗装は、経年変化や使用時の摩擦等により摩耗や劣化を生じ、その状況によっては操作パネルの交換を要する場合がある。その場合は、摘み等の操作子を全て取り外し、操作パネルの交換後に再びそれらを取り付ける必要がある。操作パネルの交換は、それ自体が大掛かりな作業となる上、ミキサ等の音響制御盤は一般に多数の操作子が表面に配置されているので、その脱着作業は極めて煩雑となる。また、ＥＭＩ（電磁波障害）対策を行なう場合にあっては、電気的導通を確保する必要のある箇所は、塗膜が形成されないようにマスキングを施す必要があるが、多数の部品の周囲を避けてマスキングを行なうのに手間を要する。
【０００５】
さらに、操作パネルは制御部本体にねじ部材で結合されるので、操作パネルの表面には、複数のねじ部材のヘッド部が露出した状態となる。露出しているねじヘッド部は、スライド操作装置等の操作の際に接触した手や指に外傷を与えることもあった。また、ねじヘッドの露出は、塗装によって仕上げられたパネル面の外観を損ねる。
【０００６】
本発明は、このような従来技術の問題を解決し、安全に使用することができ、表面の耐久性が高く、優れた外観を有する音響制御盤を提供することを目的とする。
【課題を解決するための手段】
【０００７】
本発明は、上記目的を達成するため、複数の音響制御部品を収納した制御部本体１が操作パネル２の裏面側に結合され、該操作パネル２の表側に音響制御部品の操作子４又は表示部（モニタ５）が配置された音響制御盤であって、前記操作パネル２は、パネル本体２０の表側の面に樹脂製シート３０が固着され、前記パネル本体２０には、前記制御部本体１に結合するためのねじ部材６の位置に対応して透孔付き凹部２１が設けられ、該透孔付き凹部２１は、凹入した先端部に透孔２１２が形成され、凹入部２１１が前記ねじ部材６のヘッド部６１を受け入れ得る径を有し、前記透孔２１２がねじ部材の軸部６２を通すことができ且つヘッド部６１より小さい径を有しており、前記樹脂製シート３０には、前記透孔付き凹部２１に対応した位置に前記ねじ部材６のヘッド部６１を回転操作するための小孔３１，３１’が設けられ、前記ねじ部材６のヘッド部６１が前記透孔付き凹部２１の凹入部２１１に受け入れられるようにして、前記制御部本体１に設けた孔に前記ねじ部材６の軸部６２が前記透孔２１２を経て通されることにより、前記操作パネル２に前記制御部本体１が結合されていることを特徴とする音響制御盤を提供するものである。
［作用］
【０００８】
（１）上記音響制御盤は、操作パネルの表側の面に樹脂製シートが固着されることにより、パネル表面に塗装をしなくても表面の保護及び装飾効果が得られると共に、樹脂製シートとして強度や硬度の高いものを選択することにより、高い耐久性が得られる。また、操作パネルには、制御部本体に結合するためのねじ部材の位置に対応して透孔付き凹部が設けられている。そして、該透孔付き凹部は、凹入した先端部に透孔が形成され、凹入部がねじ部材のヘッド部を受け入れ得る径を有し、前記透孔がねじ部材の軸部を通すことができ且つヘッド部より小さい径を有している。したがって、ねじ部材のヘッド部を凹入部に留め、軸部を制御部本体に到達させてねじ止めすることができる。また、ヘッド部は凹入部内に受け入れられることにより、操作パネルの表面に突出しないか、突出しても突出量が小さくなる。さらに、樹脂製シートには、透孔付き凹部に対応した位置にねじ部材のヘッド部を回転操作するための小孔が設けられている。したがって、その小孔からドライバ等の回転用器具を通して透孔付き凹部内のヘッド部に到達させ、ねじ部材を締結し、必要に応じて締結を解除することができる。ねじ止めされた状態では、ねじ部材のヘッド部は、操作パネルの表面に露出せず、或いは、露出度合いが小さくなる。その結果、操作の際に手や指が接触して外傷を受ける畏れをなくすことができ、安全である。また、操作パネルの表面上でねじ部材の存在が目立つことがなく、音響制御盤の外観が優れたものとなる。さらに、操作パネル表面の塗装を必要とすることなくパネル本体の保護や装飾を行なうことができるので、塗装の手間を省くことができる。これに伴って、ＥＭＩ対策を行なう場合にもマスキングの手間も省くことができる。また、樹脂製シートによって、塗装よりも優れた耐久性が得られる。
【０００９】
（２）上記（１）の音響制御盤は、前記パネル本体２０が、音響制御部品の操作子４又は表示部（モニタ５）が配置された面板２２と、前記ねじ部材６に対応した位置で前記面板２２に固着された取付け用補助板２３とを備えており、該取付け用補助板２３は、前記面板２２の裏面から内側へ突設した突設部２３１と、該突設部２３１の両端から延び前記面板２２の裏面に固着された接合部２３２とを備え、前記面板２２には、前記突設部２３１に対応した位置に貫通孔２２１が形成され、該貫通孔２２１と前記取付け用補助板２３の突設部２３１とにより前記透孔付き凹部２１の凹入部２１１が形成され、前記突設部２３１に前記透孔付き凹部２１の透孔２１２が設けられたものとすることができる。これにより、取付け用補助板の突設部が面板の裏面から突設した分だけ、ねじ部材の受け入れ深さが深くなる。その結果、ねじ部材のヘッド部をより深く受け入れることができる。したがって、手や指が接触して外傷を受けることがなく、安全性と音響制御盤の外観がより優れたものとなる。
【００１０】
（３）上記（１）又は（２）の音響制御盤は、前記透孔付き凹部２１の凹入部２１１，２２２，２２４，２２６によるねじ部材６のヘッド部受け入れ深さｄ１，ｄ２，ｄ３，ｄ４，ｄ５と、前記樹脂製シート３０の厚さｄ０との和が、前記ねじ部材６のヘッド部６１の厚さｔより大きいものとすることができる。これにより、ヘッド部が樹脂製シートの表面から突出せず、より優れた安全性及び音響制御盤の外観が得られる。
【００１１】
（４）上記（１）から（３）の音響制御盤は、前記ねじ部材６のヘッド部６１が回転用器具の先端部に係合する切欠き部６１１（図４）を端面に備え、前記樹脂製シート３０の小孔３１，３１’が、該小孔内で前記回転用器具の先端部を回転し得るように、前記切欠き部６１１に対応した大きさとされているものとすることができる。これにより、樹脂製シートの小孔は、ヘッド部の径より小さくなる。その結果、ねじ部材をより目立たなくすることができ、音響制御盤の外観がより優れたものとなる。
【００１２】
（５）上記（１）から（４）の音響制御盤は、前記操作パネル２が、前記面板２２に沿う方向に延びる回動軸２６（図１，図２）により、該回動軸回りの回動で前記制御部本体１に対して開閉可能に支持されており、少なくとも一つの前記透孔付き凹部２１が前記面板２２における縁部付近に配置され、前記操作パネル２は、該操作パネル２の回動時に前記制御部本体１の側壁１２に沿って移動して回動を案内するように前記面板２２の縁部から曲折して延びた案内板２４を備えており、該案内板２４は、前記パネル本体２２に重ねられる重合部２４０と一体に形成され、前記面板２２の縁部の位置において該重合部２４０（図９）から前記制御部本体１の側壁１２に沿う方向へ延びており、前記透孔付き凹部２１は、前記面板２２と前記重合部２４０との重なり部分に設けられているものとすることができる。これにより、面板２２が補強され、透孔形成箇所におけるパネル本体の強度を確保し、操作パネルに高い堅牢性を持たせることができる。また、この補強効果に基づき、より薄い材料や強度の低い材料をパネル本体２０に使用することができる。
【発明の効果】
【００１３】
上記のように、本発明によれば、表面の耐久性が高く優れた外観を有する音響制御盤を提供することができる。
【図面の簡単な説明】
【００１４】
【図１】本発明の一実施形態に係る音響制御盤の斜視図である。
【図２】図１に示した音響制御盤の操作パネルを開いた状態を示す要部の斜視図である。
【図３】図１に示した音響制御盤の操作パネルを示す斜視図であり、(a) は分解状態、(b) は結合状態を示す。
【図４】図１の音響制御盤における操作パネルと制御部本体との結合構造を示す図であり、(a) は平面図、(b) は(a)のb-b線に沿う断面図、(c) は(a)のc-c線に沿う断面図である。
【図５】図４に示した結合構造の他の例を示す断面図である。
【図６】図４に示した結合構造のさらに他の例を示す断面図である。
【図７】図４に示した結合構造のさらに他の例を示す断面図である。
【図８】図４に示した結合構造のさらに他の例を示す断面図である。
【図９】図４に示した結合構造のさらに他の例を示す断面図である。
【発明を実施するための形態】
【００１５】
以下、本発明の実施形態について添付図面を参照しつつ説明する。図面中の同一又は同種の部分については、同じ番号を付して説明を一部省略する。
【００１６】
図１は本発明の一実施形態に係る音響制御盤の斜視図であり、図２は操作パネルを開いた状態でその音響制御盤の要部を示している。
【００１７】
この音響制御盤はミキサとして用いられるものであり、図示のように、多数の音響制御部品１１をケーシング１２内に収納した制御部本体１が操作パネル２の裏面側に結合されている。操作パネル２の表側には、音響制御部品１１を制御するための操作子４、制御状態を表示するモニタ５等が設けられている。操作子４としては、回転式の摘み４１、押しボタン式のスイッチ４２、スリット４３に沿って摺動するスライド装置４４等が設けられている。モニタ５は、液晶ディスプレーを備え、制御状態の表示部として機能するが、必要に応じてタッチパネルを備えたものとし入力部として機能させることもできる。
【００１８】
図１に示すように、制御部本体１及び操作パネル２の両側部には、補助側板７がねじ止めされている。図２は、補助側板７が外された状態を示している。補助側板７を外した音響制御盤は、他の音響制御盤をねじ止めして結合することができ、複数の音響制御盤を結合することにより、必要に応じた機能を有する音響制御アッセンブリとすることができる。
【００１９】
音響制御部品１１は、図２に示すように、ケーシング１２に取り付けられた部品１１ａと、操作パネル２に取り付けられた部品１１ｂとがあり、操作パネル２を閉じた状態（図１）において、これらの部品は操作子及び表示部を除いてケーシング１２内に収納された状態となる。
【００２０】
以下では、図１に示された操作パネル２の内、モニタ５より下側に位置する部分を代表的に取り上げて説明する。その説明は、操作パネル２における他の部分についてもあてはまる。
【００２１】
図３に示すように、操作パネル２は、パネル本体２０が鋼板等の金属製とされ、その表側の面に樹脂製シート３０が接着されている。パネル本体２０及び樹脂製シート３０について、図３の(a) は分離した状態、(b) は結合した状態を示している。図３(a) に示すように、パネル本体２０には、摘み４１、スイッチ４２、スリット４３、モニタ５等を制御部本体１内から外側へ突出又は表示させための大小の窓部（Ｂ１〜Ｂ８等）が設けられている。これらの内、パネル本体２０から突出する部材に対応して、樹脂製シート３０に窓部（Ｃ１，Ｃ３，Ｃ４，Ｃ５，Ｃ７等）が設けられている。この樹脂製シート３０は透明であるので、表示用の部材は樹脂製シート３０を通して見ることができる。したがって、パネル本体２０に樹脂製シート３０が重ねられた状態においては、図３(b) に示すように、操作パネル２に窓部（Ａ１，Ａ３，Ａ４，Ａ５，Ａ７等）が設けられた状態となっている。また、操作パネル２を制御部本体１に結合するねじ部材の位置において、パネル本体２０には透孔付き凹部２１が設けられ、樹脂製シート３０には小孔３１が設けられているが、これらについては後に詳しく説明する。
【００２２】
パネル本体２０は、操作子４及び表示部５が配置されてパネル面を構成する平板状の面板２２を備えており、図２に示すように、面板２２に沿う方向に延びる回動軸２６によって支持され、制御部本体１に対して該回動軸回りに開閉可能となっている。パネル本体２０はさらに、面板２２の縁部から曲折して延びた案内板２４を備えている（図２には片側の案内板２４のみが表れている）。案内板２４は、操作パネル２の開閉時にケーシング１２の両側壁１２１に沿って移動して回動を案内する。透孔付き凹部２１は、面板２２における縁部付近に設けられている。
【００２３】
図４に示すように、面板２２には、ねじ部材６に対応した位置に取付け用補助板２３が、溶接により固着されている。取付け用補助板２３は、１枚の板状部材を曲げ加工して形成されており、面板２２の裏面から突設した突設部２３１と、該突設部の両端から延び面板２２の裏面に固着された接合部２３２とを備えている。面板２２には、突設部２３１に対応した位置に貫通孔２２１が形成され、該貫通孔と突設部２３１とにより透孔付き凹部２１の凹入部２１１が形成されている。突設部２３１には、透孔付き凹部２１の凹入した先端部に透孔２１２が設けられている。凹入部２１１は、ねじ部材６のヘッド部６１を受け入れ得る径を有し、透孔２１２は、ねじ部材６の軸部６２より大きくヘッド部より小さい径を有している。
【００２４】
樹脂製シート３０は、摘み４１、スイッチ４２、スリット４３、モニタ５等を制御部本体１内から外側へ突出又は露出させるための大小の窓部が設けられており、面板２２の表側の面を覆うようにして、接着剤により該面板２２に接着されている。この樹脂製シート３０としては、ポリプロピレン、ポリエチレン、アクリル樹脂等の種々の樹脂製のものを使用することができる。また、樹脂製シート３０をパネル本体２０に接着するための接着剤としては、樹脂と金属との接着に一般的に使用される種々のものを使用することができる。樹脂製シート３０には、パネル本体２０の透孔付き凹部２１に対応した位置に、ねじ部材６のヘッド部６１を回転操作するための小孔３１が設けられている。但し、この実施形態では、小孔３１は、ヘッド部６１を通し得るように、ヘッド部６１の外径より僅かに大きくされている。
【００２５】
図４に示すように、ケーシング１２は、パネル本体２０に通されたねじ部材６を受け入れるための支承部材１３を、側壁１２１の内側に備えている。支承部材１３は、断面Ｌ字状をなしており、側壁１２１に沿って延びる固定部１３０と、該固定部の一端から、パネル本体２０の面板２２に沿って延びる支持部１３１とを備えている。側壁１２１には、固定部１３０に対応する位置に、内方へ凹入した凹所１２２が設けられており、該凹所１２２及び固定部１３０に設けられた貫通孔に止めねじ１２８を通しナット１２９を締結することにより、支承部材１３は側壁１２１に固定される。なお、１２９ａはワッシャである。側壁１２１に対する固定部１３０の固定は、この他、溶接、接着等、種々の手段で行なうことができる。
【００２６】
支持部１３１は、パネル本体２０を固定するのに用いられる。ねじ部材６は、樹脂製シート３０の小孔３１及びパネル本体２０の透孔２１２を経て、支持部１３１の貫通孔１３２に通され、ナット１３３に螺合され締結される。このとき、ねじ部材６のヘッド部６１は、透孔付き凹部２１の凹入部２１１に保持される。これにより、パネル本体２０の取付け用補助板２３と支承部材１３の支持部１３１とは、ねじ部材６のヘッド部６１とナット１３３とにより挟まれて固定される。なお、１３３ａはワッシャである。後のメンテナンス等の際に操作パネル２を制御部本体１に対して開閉する際に、この螺合及びその解除の操作を容易にするため、ワッシャ１３３ａ及びナット１３３は、パネル本体２０（取付け用補助板２３）に固着させておくのが望ましい。
【００２７】
この実施形態に使用されているねじ部材６は、六角レンチを回転用器具として用いて回転させるものであり、ヘッド部６１の端面には六角穴状の切欠き部６１１が設けられている。
【００２８】
操作パネル２を制御部本体１に対して閉状態として固定する際には、開状態の操作パネル２を回動軸２６を中心に回動させ、案内板２４をケーシング１２の側壁１２１に沿って移動させて、制御部本体１の開口面を閉じた状態とする。そして、ねじ部材６を透孔付き凹部２１に挿入し、ヘッド部６１が凹入部２１１に受け入れられ、軸部６２が透孔２１２に通された状態とし、支承部材１３に設けた雌ねじ部１３４に螺合させて締結する。
【００２９】
透孔付き凹部２１等の寸法は、次のように決められている。すなわち、透孔付き凹部２１の凹入部２１１がねじ部材６のヘッド部６１を受け入れる深さｄ１と、樹脂製シート３０の厚さｄ２との和が、ねじ部材６のヘッド部６１の厚さｔより大きくされている。上記受け入れ深さｄ１は、面板２２の厚さｄ１１と取付け用補助板２３における接合部２３２の接合面から突設部２３１の先端面までの距離ｄ１２との和である。したがって、これらの関係は、以下のように表される。
【００３０】
ｄ１＋ｄ２＝ｄ１１＋ｄ１２＋ｄ２＞ｔ
【００３１】
この音響制御盤は、操作パネル２の表側の面に樹脂製シート３０が固着されることにより、パネル表面に塗装をしなくても表面の保護及び装飾効果が得られる。しかも、樹脂製シートとして強度や硬度の高いものを選択することにより、高い耐久性が得られる。
【００３２】
また、透孔付き凹部２１にねじ部材６を挿入したときに、ねじ部材６のヘッド部６１が凹入部２１１部内に受け入れられるので、ねじ止めされた状態では、ねじ部材６のヘッド部６１が樹脂製シート３０の小孔３１内に納まって露出せず、或いは、露出度合いが小さくなる。その結果、ねじ部材６の存在が目立たず、音響制御盤の外観が優れたものとなる。
【００３３】
また、この実施形態では、透孔付き凹部２１の凹入部２１１が、面板２２の貫通孔と、取付け用補助板２３の突設部２３１とにより形成され、透孔２１２が取付け用補助板の突設部２３１に設けられている。したがって、取付け用補助板２３の突設部２３１が面板２２の裏面から離間した分だけ、ねじ部材６の受け入れ深さが深くなり、ねじ部材６のヘッド部６１をより深く受け入れることができる。ヘッド部６１が樹脂製シート３０の表面から突出せず、優れた外観が保証される。
【００３４】
制御部本体１のケーシング１２と操作パネル２のパネル本体２０との結合構造に関しては、上に説明したものの他、以下に例示するように、種々の形態とすることができる。
【００３５】
図５は、結合構造の他の例について、図４のc−c線に相当する位置の断面を示している。この構造は、図４に示したものとほぼ同じであるが、支承部材１３の支持部１３１が異なっている。すなわち、支持部１３１は、バーリング加工により貫通孔の周囲部が、固定部１３０のある側へ僅かに突出した突出口１３５となっており、突出口１３５の内面はねじが施されて雌ねじ部１３６となっている。したがって、樹脂製シート３０の小孔３１及びパネル本体２０の透孔２１２に通されたねじ部材６は、雌ねじ部１３６への螺合により、ナットを用いることなく、ケーシング１２とパネル本体２０とを結合する。
【００３６】
図６は、結合構造のさらに他の例について、図４のb−b線に相当する位置の断面を示している。この構造では、パネル本体２０の面板２２には、ねじ部材６のヘッド部６１を受け入れる凹入部２２２と透孔２２３とが同軸状に設けられ、凹入部２２２が樹脂製シート３０側に位置し、該凹入部２２の底部（先端部）から透孔２２３が制御部本体１側に延びている。したがって、この構造においては、凹入部２２２及び透孔２２３によって、透孔付き凹部２１が形成されている。樹脂製シート３０には、先の実施形態と同様の小孔３１が設けられている。
【００３７】
ねじ部材６は、樹脂製シート３０の小孔３１及びパネル本体２０の透孔２２３を経て、支持部１３１の貫通孔１３２に通され、ナット１３３と締結される。このとき、ねじ部材６のヘッド部６１は凹入部２２２に保持され、パネル本体２０と支持部１３１とは、ねじ部材６のヘッド部６１とナット１３３とにより挟まれて保持される。この構造においては、凹入部２２２がねじ部材６のヘッド部６１を受け入れる深さｄ３と、樹脂製シート３０の厚さｄ２との和が、ねじ部材６のヘッド部６１の厚さｔより大きくされている。したがって、ヘッド部が樹脂製シートの表面から突出せず、優れた外観の音響制御盤が得られる。
【００３８】
図７は、結合構造のさらに他の例について、図４のb−b線に相当する位置の断面を示している。この構造では、パネル本体２０の面板２２に、制御部本体１側へ湾曲した凹入部２２４が形成されている。そして、凹入部２２４の底部（先端部）に透孔２２５が設けられている。こうして透孔付き凹部２１が形成され、凹入部２２４がねじ部材６のヘッド部６１を受け入れ、透孔２２５が軸部６２を通す。
【００３９】
ねじ部材６は、樹脂製シート３０の小孔３１及びパネル本体２０の透孔２２５を経て、支持部１３１の貫通孔１３２に通され、ナット１３３と締結され、パネル本体２０と支持部１３１とが結合される。この構造においては、凹入部２２４がねじ部材６のヘッド部６１を受け入れる深さｄ４と、樹脂製シート３０の厚さｄ２との和が、ねじ部材６のヘッド部６１の厚さｔより大きくされている。したがって、ヘッド部が樹脂製シートの表面から突出せず、優れた外観の音響制御盤が得られる。
【００４０】
図８は、結合構造のさらに他の例について、図４のc−c線に相当する位置の断面を示している。この構造では、ケーシング１２は、側壁１２１が操作パネル２側で直角に曲げられることにより、支持部１２４を形成しており、該支持部にねじ部材６挿通用の貫通孔１２５が設けられている。その結果、図４における取付け用補助板２３が省略されている。また、ケーシング１２の底壁１２６には、ねじ部材６の位置に対応して支柱１２７が設けられ、先端面は支持部１２４に接している。支柱１２７の先端部に設けられた軸方向孔１２８には、ねじ部材６と螺合する雌ねじが形成されている。パネル本体２０の面板２２は、制御部本体１側へ湾曲した凹入部２２６が形成され、その底部（先端部）に透孔２２７が設けられている。こうして透孔付き凹部２１が形成され、凹入部２２６はねじ部材６のヘッド部６１を受け入れ、透孔２２７は軸部６２を通す。
【００４１】
図８の例では、樹脂製シート３０の小孔３１’は、該小孔内で六角レンチの先端部を回転し得るように、ねじ部材６の切欠き部６１１に対応した大きさとされている。具体的には、小孔３１’の内径は、六角レンチの外径とほぼ同じ大きさとされている。小孔３１’は回転用器具（六角レンチ）の先端部の外径より大きくてもよいが、小孔３１’の存在を目立たなくするために、その内径は小さいのが望ましい。また、小孔３１’に回転用器具の先端部を挿入する際に樹脂製シート３０が弾性変形することを考慮して、回転用器具の先端部の外径より小孔３１’の内径を小さくすることもできる。
【００４２】
この例では、操作パネル２を制御部本体１に結合する際、樹脂製シート３０は、少なくともねじ部材６付近の箇所をパネル本体２０から分離した状態とされる。そして、ねじ部材６は、露出したパネル本体２０の透孔２２７を経て、支持部１２４の貫通孔１２５に通され、支柱１２７の軸方向孔１２８の雌ねじに螺合されて締結される。ねじ部材６のヘッド部６１は凹入部２２６に保持され、パネル本体２０と支持部１２４とは、ねじ部材６のヘッド部６１と支柱１２７に挟まれて保持される。その後に、樹脂製シート３０の分離箇所をパネル本体２０に接着する。
【００４３】
この構造においては、凹入部２２６がねじ部材６のヘッド部６１を受け入れる深さｄ５が、ねじ部材６のヘッド部６１の厚さｔより大きくされており、ヘッド部が樹脂製シートの表面から突出せず、優れた外観の音響制御盤が得られる。また、メンテナンス等のために操作パネル２を制御部本体１に対して開く必要がある場合は、樹脂製シート３０の小孔３１’に六角レンチの先端を挿入してねじ部材６を回転することができ、支柱１２７の雌ねじ部との螺合を解くことができる。
【００４４】
図９に示す構造は、図４のc−c線に相当する位置の断面を示している。この構造は、案内板２４が、パネル本体２０に重ねられる重合部２４０と一体に形成され、面板２２の縁部の位置において重合部２４０から制御部本体１の側壁１２１に沿う方向へ延びている。重合部２４０は、スポット溶接により、面板２２に固着されている。この溶接箇所はパネル本体２０の表面に変色又は凹凸を生じがちであるが、これらの溶接痕も樹脂製シート３０で覆われるので、音響制御盤の外観を損ねない。この固着は、この他、ねじ止め、接着等、種々の手段によって行なうことができる。
【００４５】
面板２２には、ねじ部材挿通位置に貫通孔２２１が形成され、重合部２４０には軸部６２を通し得る透孔２４３が形成されている。面板２２の貫通孔２２１はねじ部材６のヘッド部６１を受け入れるための凹入部に相当し、貫通孔２２１と透孔２４３とにより透孔付き凹部２１が形成されている。
【００４６】
この例では、面板２２の貫通孔２２１（凹入部）がねじ部材６のヘッド部６１を受け入れる深さｄ０と、樹脂製シート３０の厚さｄ２との和が、ねじ部材６のヘッド部６１の厚さｔより大きくされている。したがって、ヘッド部が樹脂製シートの表面から突出せず、優れた外観の音響制御盤が得られる。また、透孔付き凹部２１の透孔（貫通孔２２１）の形成に伴うパネル本体２０の強度低下は、面板２２に重合部２４０が重ねられることによって防止され、操作パネル２の堅牢性が保証される。
【００４７】
以上、本発明の一実施形態について説明したが、本発明はこれに限定されるものではなく、その趣旨を逸脱しない限りにおいて種々の変更が可能である。また、一つの実施形態の特徴部分は、機能を損ねない限り他の実施形態に適用することも可能である。
例えば、ねじ部材６の軸部６２は、先端側に雄ねじを設け、基端側の外径を雄ねじ部の外径より小さい小径部とし、透孔付き凹部２１の透孔２１２には軸部６２の雄ねじに螺合する雌ねじを施したものとすることができる。これにより、軸部６２は先端側の雄ねじをナット１３３又は突出口１３５内面の雌ねじ部１３６（図５）に螺合させてパネル本体２０を制御部本体１に固定することができる。この状態において、ナット１３３又は突出口１３５内面の雌ねじ部１３６には、軸部６２の基端側の小径部が位置する。したがって、メンテナンス等の際に、ねじ部材６とナット１３３又は突出口１３５内面の雌ねじ部１３６との螺合を解いても、ねじ部材６を透孔２１２から抜き出すには、軸部６２の雄ねじ部を透孔２１２の雌ねじに螺合させながらヘッド部６１側へ抜く必要があり、容易には透孔２１２から外れない。したがって、メンテナンス等の際に、透孔２１２から離脱させたねじ部材６を紛失するのが防止される。
【符号の説明】
【００４８】
１：制御部本体、    ２：操作パネル、    ４：操作子、    ５：モニタ（表示部）、    ６：ねじ部材、    ２０：パネル本体、    ２１：透孔付き凹部、    ２２：面板、    ２３：取付け用補助板、    ２４：案内板、    ２６：回動軸、    ３０：樹脂製シート、    ３１，３１’：小孔、    ６１：ヘッド部、    ６２：軸部、    ２１１，２２２，２２４，２２６：凹入部、    ２１２，２２３，２２５，２２７：透孔、    ２２１：貫通孔、    ２３１：突設部、    ２３２：接合部、    ２４０：重合部、    ２４３：透孔、    ６１１：切欠き部、    ｄ０，ｄ１，ｄ２，ｄ３，ｄ４，ｄ５：ヘッド部受け入れ深さ、    ｄ２：樹脂製シートの厚さ、    ｔ：ヘッド部の厚さ
【図１】
2010226408.tif 000003
【図２】
2010226408.tif 000004
【図３】
2010226408.tif 000005
【図４】
2010226408.tif 000006
【図５】
2010226408.tif 000007
【図６】
2010226408.tif 000008
【図７】
2010226408.tif 000009
【図８】
2010226408.tif 000010
【図９】
2010226408.tif 000011